(57)【特許請求の範囲】
【請求項１】
各種情報を表示する表示部材と、前記表示部材を収納する外装部材と、前記外装部材の前面側に設けられ前記表示部材を視認可能とする透光性の樹脂材料からなるカバープレートと、前記カバープレートの周囲を取り巻くように設けられた装飾リングと、からなる表示装置において、
前記外装部材には、前記装飾リングを保持可能な周壁部からなる固定部と、前記装飾リングの組み付け位置を定めるための突起からなる位置決め部とを設け、
前記固定部には、前記カバープレートの上面側から前記外装部材の側面側へと水を排出するための排水路を設け、
前記装飾リングには、前記外装部材の前記位置決め部に対応する位置合わせ部を設けたことを特徴とする表示装置。
【請求項２】
前記位置決め部の周囲に前記排水路を設けてなることを特徴とする請求項１に記載の表示装置。
【発明の詳細な説明】
【技術分野】
【０００１】
本発明は、たとえば自動車、オートバイ、船舶をはじめとする移動体に組み込まれ、各種計測値表示や状態表示を行う表示部材や速度計や燃料計などの計測値を表示する表示部材をケース・見返し部材・透光性のカバープレートなどによる外装部材に収納してなる表示装置に関するものである。
【背景技術】
【０００２】
従来のこの種の表示装置として、たとえば建設機械などの特殊車輌や船舶、あるいは自動車、オートバイ等に搭載される表示装置において、外装部材であるケースの内部に速度計や燃料計などの各種の計器本体を収納固定し、この計器本体の前面に文字板を取付固定するとともに、文字板（表示板）上に設けられた目盛・数字・文字・記号などの表示部が施された表示部領域を視認する透光性のカバープレートがケースと一体的に設けられている。
【０００３】
ところで、この種の表示装置にあっては多様化する市場ニーズなどにより、高級感を持たせるために外観意匠を重視する傾向にあるが、従来の一般的な計器装置においては、外装部材であるケースにおいて、上ケース自体が略平板状に形成されているため、その上ケースに設けた透光性のカバープレートを介して視認される文字板周囲が奥行き感や立体感なども乏しい面がある。
【０００４】
そこで、文字板周囲のデザイン性などを高めるために、たとえば外装部材であるケースに設けられた透光性のカバープレートの周囲を取り巻くように色調あるいは材質の異なる別体の装飾部材となる装飾板（飾りリング）を装着して質感を高めるようにしたものとして、たとえば特許文献１などが知られている。この特許文献１においては、上ケース側に装飾板である飾りリングを設けたものである。
【特許文献１】実開平１−１１８３１８号公報
【発明の開示】
【発明が解決しようとする課題】
【０００５】
ところで、前記特許文献１に示されているように各文字板に合わせてそれぞれ丸形の透光性のカバープレートを取り巻くようにリング状に開口した装飾板（飾りリング）を上ケースに重ね合わせて平板状の装飾板（パネル）箇所を上ケース側にデザイン性を持たせてあるネジにて固定するようにしており、加えて取付強度をさらに高めるために装飾板の裏面に接着剤を塗布し上ケースに接着固定するようにしているため、固定強度は十分保つことができるという効果がある。しかしながら、ほぼ平板状による一枚基板からなる装飾板であるが故にカバープレートを介して視認される文字板周囲が奥行き感や立体感などの点について若干欠けてしまうという問題がある。
【０００６】
この点を考慮するものとして、奥行き感を出すために透光性のカバープレートを取り巻くようにリング状の飾りリング（装飾リング）を上側のケースに嵌め込んで固定するようにしたものが提案されている。この場合、凸形状からなる立体的な飾りリングによって奥行き感は出せるものの、飾りリングと上ケース側とは接着部材を介して上ケースの外表面側に飾りリングが突き合わせにより固定するようにしているため、飾りリングとケースとの間に時として隙間が生じてしまうこともあり、故意ではないにしても誤って飾りリングとケースとの突き合わせによる隙間にスティック状の工具などが差し込まれてしまうと浮き上がってしまい、結果的には接着部材が剥がれてしまう虞があり、また外部振動により軋み音（異音）が発生するという問題がある。
【０００７】
本発明は前述した問題点に着目し、カバープレートの周囲を取り巻くように設けられた装飾リングによって立体感と高級感を醸し出しながら質感を高めることができるようにし、しかも固定強度を維持しつつケース側と装飾リングとの突き合わせによる従来の問題点を解決することができる表示装置を提供することを目的とする。
【課題を解決するための手段】
【０００８】
本発明は前述した課題を解決するため、請求項１では、各種情報を表示する表示部材と、前記表示部材を収納する外装部材と、前記外装部材の前面側に設けられ前記表示部材を視認可能とする透光性の樹脂材料からなるカバープレートと、前記カバープレートの周囲を取り巻くように設けられた装飾リングと、からなる表示装置において、前記外装部材には、前記装飾リングを保持可能な周壁部からなる固定部と、前記装飾リングの組み付け位置を定めるための突起からなる位置決め部とを設け、前記固定部には、前記カバープレートの上面側から前記外装部材の側面側へと水を排出するための排水路を設け、前記装飾リングには、前記外装部材の前記位置決め部に対応する位置合わせ部を設けたことを特徴とする表示装置である。
【０００９】
このように構成することにより、カバープレートの上面側に溜まりやすい水滴などを排水路を介して外部側へと排出することができる。
【００１０】
また請求項２では、請求項１に記載の表示装置において、前記位置決め部の周囲に前記排水路を設けてなることを特徴とするものである。
【００１１】
このように構成することにより、位置決め部の成形と同時に排水路を成形することができ、樹脂成形型の製作をも簡便に行うことが可能となる。
【発明の効果】
【００１２】
本発明では、各種情報を表示する表示部材と、前記表示部材を収納する外装部材と、前記外装部材の前面側に設けられ前記表示部材を視認可能とする透光性の樹脂材料からなるカバープレートと、前記カバープレートの周囲を取り巻くように設けられた装飾リングと、からなる表示装置において、前記外装部材には、前記装飾リングを保持可能な周壁部からなる固定部と、前記装飾リングの組み付け位置を定めるための位置決め部とを設け、前記固定部には、前記カバープレートの上面側から前記外装部材の側面側へと水を排出するための排水路を設け、前記装飾リングには、前記外装部材の前記位置決め部に対応する位置合わせ部を設けたことを特徴とする表示装置であるため、装飾リングを位置合わせしつつ保持することができるとともに、しかもリング状の装飾リングによって立体感を出しながら質感も高めることができる表示装置を提供することができ、これにより初期の目的を達成することができる。
【発明を実施するための最良の形態】
【００１３】
以下、添付図面に基づいて、本発明を車両用の表示装置に適用した実施形態に基づいて説明する。
【００１４】
図１から図５は本発明の実施形態を示すもので、図１は車両用計器であるオートバイに搭載される表示装置を示す正面図、図２は図１のＡ−Ａ線箇所を示す要部の断面図、図３は図１における上側ケースのみの正面図と装飾リングのみの背面図を示した要部の概略図、図４は図２の要部を示す拡大断面図、図５は図１における上側ケースと装飾リングとの位置決め状態の要部を示す拡大断面図である。
【００１５】
本実施形態による表示装置においては、各種情報を表示する表示部材Ｄとして中央に速度計からなる指示計器と、左側に燃料計、右側に温度計からなる指示計器などが配置され、それぞれが外装部材１であるケース内に組み付け固定される。
【００１６】
この場合、速度計や燃料計、水温計などの各種情報を表示する表示部材Ｄである各指示計器にあっては、図２などに示すように、合成樹脂製の枠状からなるホルダー２の背後に硬質からなる回路基板３が組み付け固定されるとともに、この回路基板３の背後側に各指示計器の一部を構成する計器本体４がそれぞれ組み付け固定されており、この各計器本体４に設けられた指針軸５の先端側に、指針軸５を軸芯として回転する指針６がそれぞれ圧入固定されている。この実施例における指針構造としては、透明な合成樹脂たとえばアクリル樹脂にて形成された発光指針６を用いている。
【００１７】
また前記指針６の背後側に位置しホルダー２の前面側には、目盛や数字や記号などからなる表示部７Ａが施された文字板７が配設されている。また前記回路基板３上には、枠状のホルダー２内に臨んで前記文字板７の目盛部や数字などの表示部７Ａを透過照明するための光源（発光ダイオード８）と、前記指針６を発光照明するための指針用光源（発光ダイオード９）とが実装されている。
【００１８】
外装部材１は、上側ケース１１と下側ケース１２とからなり、上側ケース１１には、文字板７（表示板）上に設けられた目盛・数字・文字・記号などの表示部７Ａが施された表示部領域を視認する透光性のカバープレート１３が上側ケース１１と一体的に設けられている。
【００１９】
また、第１の実施形態にあっては、上側ケース１１のカバープレート１３の周囲を取り巻くようにリング形状からなる装飾リング２０が上側ケース１１上に設けられている。この装飾リング２０は、合成樹脂材料により成型されており、装飾リング２０の表面仕上げとしてたとえば銀色からなる艶消し塗装による表面処理を施している。
【００２０】
この第１の実施形態にあっては、上側ケース１１のカバープレート１３の周囲を取り巻き上側ケース１１の平坦部領域から一体に装飾リング２０を固定保持するための固定部１４が設けられている。この場合、固定部１４として、上側ケース１１の平坦部領域から凸設された立ち上がり壁部からなる周壁部１４Ａによって形成されており、この周壁部１４Ａの上端面に接着部材である両面テープＴが貼り付けられる。
【００２１】
また上側ケース１１には、固定部１４である周壁部１４Ａの周囲を取り巻くように溝部１５が設けられている。
【００２２】
この際、前記装飾リング２０の裏面側には、上側ケース１１の周壁部１４Ａの形状に倣って断面Ｕ字形状からなる凹設部２１が形成され、周壁部１４Ａと凹設部２１との間において周壁部１４Ａに貼り付けてある接着部材である両面テープＴによって上側ケース１１と装飾リング２０とが固定保持される。この時、装飾リング２０の外周側壁部である下側の先端部２２が上側ケース１１に設けられた溝部１５内に突き合わされて配置される。
【００２３】
なお、この実施形態にあっては、装飾リング２０の位置合わせのために、上側ケース１１の周壁部１４Ａの所定箇所には、装飾リング２０の組み付け位置を定めるためのピン状の突起からなる位置決め部１６を設け、この位置決め部１６に対応して装飾リング２０の凹設部２１箇所に筒状からなる位置合わせ部２３が設けられている。
【００２４】
このように構成された第１の実施形態における表示装置にあっては、外装部材１である上側ケース１１に設けられた溝部１５内に装飾リング２０の先端部２２を受け入れることによって、上側ケース１１の外壁面から奥まった溝部１５内に装飾リング２０の先端部２２が入り込むこととなり、浮き上がりを防ぐことができ、これにより上側ケース１１の溝部１５によって装飾リング２０の外側壁部の先端部２２を覆うことにより外部側から直接装飾リング２０の先端部２２に触れてしまうことがなくなるため、誤って装飾リング２０を剥がしてしまうという問題を未然に解決することができ、結果として装飾リング２０の変形や破損を抑制することができる。加えて本来のねらいである装飾部材となる装飾リング２０によって銀色からなる金属調の質感を強調することができ、しかもリング状に縁取られた装飾リング２０によって立体感を出しながら質感も高めることができる表示装置を提供することができる。
【００２５】
また組付けの際、外装部材１である上側ケース１１の平坦部領域から凸設された周壁部１４Ａに沿って装飾リング２０の凹設部２１をセットすることによって簡単に取り付けることができるとともに、周壁部１４Ａの上端面に事前に貼り付けられている両面テープＴによって、周壁部１４Ａと凹設部２１との間において強固に接着保持することができる。この際、装飾リング２０から接着部材である両面テープＴがはみ出ることがなくデザイン性を確保しながら装飾リング２０を接着固定することができるという効果もある。
【００２６】
また装飾リング２０の位置合わせのために、上側ケース１１の周壁部１４Ａの所定箇所には、装飾リング２０の組み付け位置を定めるためのピン状の突起からなる位置決め部１６を設け、この位置決め部１６に対応して装飾リング２０に筒状からなる位置合わせ部２３を設けてなることにより、周壁部１４Ａに設けられた位置決め部１６によって装飾リング２０に設けられた位置合わせ部２３を簡単に沿わせてセットすることができ、位置ずれもなく所定の位置に良好に固定保持することができる。
【００２７】
表示装置の組み付け時において、外装部材１に接着部材である両面テープＴを事前に貼り付け固定することができるため、外装部材１を基準として簡単に装飾リング２０をセットすることができ、組み付け作業を簡便に行うことができるものであり、装飾リング２０から接着部材である両面テープＴがはみ出ることがなくデザイン性を確保しながら装飾リングを接着固定することができるという効果がある。
【００２８】
図６から図９は、本発明の第２の実施形態を示すものであり、図６は、本発明の第２の実施形態の表示装置における装飾リングを外装部材に取り付けた状態を示す要部の正面図、図７は図６の要部を示す断面図、図８は図７における装飾リングの組み付け前を示す要部の断面図、図９は図６における上側ケースと装飾リングとの位置決め状態の要部を示す拡大断面図である。
【００２９】
本実施形態による表示装置においては、中央に速度計などの情報を表示する表示部材Ｄ１である周知な指針式の計器からなるアナログ式の指示計器と、右側に燃料計・温度計や走行距離からなる車両情報を表示するフラットディスプレイパネルからなる表示部材Ｄ２が配置され、それぞれの表示部材Ｄ１，Ｄ２が外装部材１であるケース内に組み付け固定される。
【００３０】
この第２の実施形態にあっては、表示部材Ｄ１と表示部材Ｄ２とにそれぞれ対応する上側ケース１１のカバープレート１３ａ，１３ｂによって覆われて表示部材Ｄ１と表示部材Ｄ２が別々に前面側から視認することができるように構成されており、各カバープレート１３ａ，１３ｂの周囲をそれぞれ取り巻き上側ケース１１の平坦部領域から一体に各装飾リング２０を固定保持するための固定部１４が設けられている。この場合、固定部１４として、上側ケース１１の平坦部領域から凸設された立ち上がり壁部からなる周壁部１４Ａによって形成されており、この周壁部１４Ａの上端面に接着部材である両面テープＴが貼り付けられている。
【００３１】
従って、この第２の実施形態にあっては、個々に分割形成されたカバープレート１３ａ，１３ｂの周囲にリング状からなる各装飾リング２０をそれぞれ独立してセットする構造を採用しているものであり、他の全体の機構については前述した第１の実施形態とほぼ同様に構成されている。
【００３２】
このように構成された第２の実施形態における表示装置にあっては、前述した第１の実施形態と同様にして、上側ケース１１に設けられた溝部１５内に各装飾リング２０の先端部２２を受け入れることによって、上側ケース１１の外壁面から奥まった溝部１５内に装飾リング２０の先端部２２が入り込むこととなり、浮き上がりを防ぐことができ、これにより上側ケース１１の溝部１５によって装飾リング２０の外側壁部の先端部２２を覆うことにより外部側から直接装飾リング２０の先端部２２に触れてしまうことがなくなるため、誤って装飾リング２０を剥がしてしまうという問題を未然に解決することができ、結果として装飾リング２０の変形や破損を抑制することができる。
【００３３】
また第２の実施形態では、表示部材Ｄ１と表示部材Ｄ２が各カバープレート１３ａ，１３ｂを介して別々に前面側から視認することができるように構成されており、各カバープレート１３ａ，１３ｂの周囲をそれぞれ取り巻き上側ケース１１の平坦部領域から一体に各装飾リング２０を固定保持するように構成されているため、リング状に設けられたそれぞれの装飾リング２０が立体的に浮かび上がり表示装置全体の奥行き感も出るため見栄えも良く、立体感を出しながら質感も高めることが可能な表示装置を提供することができる。この際、装飾リング２０の表面仕上げとして塗装、蒸着などの表面処理によって光沢のある鏡面仕上げにて処理したり、ヘアラインによる細かい凹凸仕上げにて処理したり、つや消し処理など形状や色合いなどとの組み合わせによって装飾リング２０の質感、たとえば奥行き感、立体感あるいは金属調の質感を強調することによって、高級感をより向上することができる。
【００３４】
また、装飾リング２０を上側ケース１１側に組み付ける際、上側ケース１１の周壁部１４Ａの所定箇所に設けられたピン状の位置決め部１６に合わせて装飾リング２０の凹設部２１に設けられた筒状からなる位置合わせ部２３を嵌め合わせることにより、周り止め状態を維持しながら簡単にセットすることができ、上側ケース１１に設けられているカバープレート１３ａ，１３ｂに対して位置ずれもなく所定の位置に装飾リング２０を簡単に組み付けることができる。この際、両面テープＴにて装飾リング２０と上側ケース１１とを貼り付け固定することによって、組み付け作業を簡便に行うことができる。
【００３５】
図１０から図１４は、本発明の第３の実施形態を示すものであり、図１０は、本発明の第３の実施形態の表示装置における装飾リングを外装部材に取り付けた状態を示す要部正面図、図１１は図１０の表示装置における装飾リングを取り外した状態を示す正面図、図１２は図１０の矢印Ａ部箇所を示す部分断面図、図１３は図１０の矢印Ｂ部箇所を示す部分断面図、図１４は図１０の矢印Ｃ部箇所を示す部分断面図である。
【００３６】
本実施形態による表示装置においては、前述した第１の実施形態と同様に各種情報を表示する表示部材Ｄとして中央に速度計からなる指示計器と、左側に燃料計、右側に温度計からなる指示計器などが配置され、それぞれが外装部材１であるケース内に組み付け固定される。
【００３７】
外装部材１は、上側ケース１１と下側ケース１２とからなり、上側ケース１１には、文字板７（表示板）上に設けられた目盛・数字・文字・記号などの表示部７Ａが施された表示部領域を視認する透光性のカバープレート１３が上側ケース１１と一体的に設けられている。
【００３８】
また、本実施形態である第３の実施形態にあっては、前述の第１の実施形態と同様に上側ケース１１のカバープレート１３の周囲を取り巻くようにリング形状からなる装飾リング２０が上側ケース１１上に設けられている。
【００３９】
また、上側ケース１１のカバープレート１３の周囲を取り巻き上側ケース１１の平坦部領域から一体に装飾リング２０を固定保持するための固定部１４が設けられている。この場合、固定部１４として、上側ケース１１の平坦部領域から一体に凸設された立ち上がり壁部からなる周壁部１４Ａによって形成されており、この周壁部１４Ａの上端面に接着部材である両面テープＴが貼り付けられる。
【００４０】
また、装飾リング２０の裏面側には、上側ケース１１の周壁部１４Ａの形状にほぼ倣って断面Ｕ字形状からなる凹設部２１が形成され、周壁部１４Ａと凹設部２１との間において周壁部１４Ａに貼り付けてある両面テープＴによって上側ケース１１と装飾リング２０とが密着状態にて固定保持されるように構成されている。
【００４１】
また、前述の第１および第２の実施形態と同様にして、装飾リング２０の位置合わせのために、上側ケース１１の周壁部１４Ａの所定箇所には、装飾リング２０の組み付け位置を定めるためのピン状の突起からなる位置決め部１６を設け、この位置決め部１６に対応して装飾リング２０の凹設部２１箇所に筒状からなる位置合わせ部２３が設けられている。
【００４２】
また本実施形態にあっては、上側ケース１１には、固定部１４である周壁部１４Ａの外周面の下端部側に係止用凹部１７が設けられ、装飾リング２０の外周側壁部の下端部側の内周面先端部分（先端部２２）には、係合用突部２４が適所に設けられ、上側ケース１１に設けられた係止用凹部１７と装飾リング２０の係合用突部２４との間にて保持されるように形成されている。
【００４３】
また本実施形態にあっては、周壁部１４Ａからなる固定部１４の所要箇所には、カバープレート１３の上面側から外装部材１の上側ケース１１の側面側へと排出するための水抜き用としての溝状からなる排水路１８が設けられており、この実施形態にあっては、位置決め部１６の周囲においても溝状からなる排水路１８Ａが設けられている。
【００４４】
このように構成された第３の実施形態における表示装置にあっては、前述した第１および第２の実施形態と同様にして、外装部材１である上側ケース１１に設けられた係止用凹部１７に装飾リング２０の先端部２２に設けられた係合用突部２４が係合して保持されることとなり、装飾リング２０の浮き上がりを防ぐことができる。
【００４５】
また装飾リング２０の位置合わせのために、上側ケース１１の周壁部１４Ａの所定箇所には、装飾リング２０の組み付け位置を定めるためのピン状の突起からなる位置決め部１６を設け、この位置決め部１６に対応して装飾リング２０に筒状からなる位置合わせ部２３を設けてなることにより、周壁部１４Ａに設けられた位置決め部１６によって装飾リング２０に設けられた位置合わせ部２３を簡単に沿わせてセットすることができ、位置ずれもなく所定の位置に良好に固定保持することができる。
【００４６】
また表示装置の組み付け時において、外装部材１に接着部材である両面テープＴを事前に貼り付け固定することができるため、外装部材１の一部を構成する上側ケース１１を基準として簡単に装飾リング２０をセットすることができ、組み付け作業を簡便に行うことができるものであり、装飾リング２０から接着部材である両面テープＴがはみ出ることがなくデザイン性を確保しながら装飾リングを接着固定することができる。
【００４７】
また固定部１４の所要箇所には、カバープレート１３の上面側から外装部材１の一部を構成する上側ケース１１の側面側へと排出するための水抜き用としての溝状からなる排水路１８が設けられており、カバープレート１３の上面側に溜まりやすい水滴などを排水路１８を介して外部側へと排出することができるものであり、カバープレート１３の上面側の汚れなどを未然に防ぐことができる。この際、図１４に示すように、排水路１８から流れ出た水は上側ケース１１の外壁面と装飾リング２０に設けられた先端部２２の内面部分との隙間を介して上側ケース１１の側面側へと流れ出るものであり、カバープレート１３の上面側に溜まることなく排水することができる。
【００４８】
また、位置決め部１６の成形と同時にその位置決め部１６の周りに排水路１８Ａを成形することができるため、樹脂成形型の製作（加工）をも簡便に行うことが可能となり、カバープレート１３の上面側に溜まりやすい水滴などを排水路１８Ａを介して外装部材１の一部である上側ケース１１の側面側（外部側）へと排出することができる。
【００４９】
なお本発明は、前述した実施例に限定されるものではなく本発明の要旨の範囲内において種々の変形実施が可能である。たとえば、第１の実施形態においては、速度計，燃料計，水温計の各指示計器の表示部領域全体を円環状に囲むように一体に連結した装飾リング２０によって形成したり、第２の実施形態においては、それぞれの指示計器の表示領域周囲に合わせて分離した装飾リング２０を、外装部材である上側ケース１１にそれぞれ組み付けるように形成していたが、表示部材である速度計，燃料計，水温計などの指針式の計器からなるアナログ式の指示計器あるいは車両情報を表示するフラットディスプレイパネルからなる表示部材Ｄのいずれかの表示部領域のみを囲むように設けた装飾リング２０であっても良い。また、装飾リング２０を合成樹脂材料によって形成し、その合成樹脂の表面にクロームメッキ処理を施したものであっても良いものであり、また、装飾リング２０の形状や色調なども任意であり、またカバープレート１３，１３ａ，１３ｂの窓枠形状と装飾リング２０との組み合わせによって、さらなる奥行き感を強調することも可能である。
【００５０】
また各実施形態においては、固定強度を高めるために接着部材を用いていたが、場合によっては、接着部材を用いることなく外装部材側に設けた固定部側と装飾リング側とを圧入固定したり、凹凸による嵌合固定などによって固定保持するようにしても良いものである。
【００５１】
また、第３の実施形態で示した排出路１８，１８Ａの設定位置としては、表示装置の取り付け角度に合わせて任意に設定すれば良いものであり、排出路１８，１８Ａの形状や幅寸法なども適宜設定すればよいものである。
【図面の簡単な説明】
【００５２】
【図１】本発明の第１の実施形態である表示装置を示す正面図。
【図２】図１のＡ−Ａ線箇所を示す表示装置の断面図。
【図３】図１の表示装置における上側ケースと化粧リングを分解した正面図と背面図。
【図４】図２の要部を示す拡大断面図。
【図５】図１の表示装置における上側ケースと化粧リングとの位置決め状態を示す要部の拡大断面図。
【図６】本発明の第２の実施形態を示す表示装置の正面図。
【図７】図６の要部を示す表示装置の断面図。
【図８】図７における装飾リングの組み付け前を示す要部の断面図。
【図９】図６の表示装置における上側ケースと化粧リングとの位置決め状態を示す要部の拡大断面図。
【図１０】本発明の第３の実施形態を示す表示装置の正面図。
【図１１】図１０の表示装置における装飾リングを取り外した状態を示す正面図。
【図１２】図１０の矢印Ａ部箇所を示す部分断面図。
【図１３】図１０の矢印Ｂ部箇所を示す部分断面図。
【図１４】図１０の矢印Ｃ部箇所を示す部分断面図。
【符号の説明】
【００５３】
１    外装部材（ケース）
２    ホルダー
３    回路基板
４    計器本体
５    指針軸
６    指針
７    文字板
７Ａ  表示部
８    光源（発光ダイオード）
９    指針用光源（発光ダイオード）
１１    上側ケース
１２    下側ケース
１３    カバープレート
１３ａ  カバープレート
１３ｂ  カバープレート
１４    固定部
１４Ａ  周壁部
１５    溝部
１６    位置決め部
１７    係止用凹部
１８    排水路
１８Ａ  排水路
２０    装飾リング
２１    凹設部
２２    先端部
２３    位置合わせ部
２４    係合用突部
Ｄ    表示部材
Ｄ１  表示部材
Ｄ２  表示部材
Ｔ    両面テープ（接着部材）
【図１】
0005030019.tif 000002
【図２】
0005030019.tif 000003
【図３】
0005030019.tif 000004
【図４】
0005030019.tif 000005
【図５】
0005030019.tif 000006
【図６】
0005030019.tif 000007
【図７】
0005030019.tif 000008
【図８】
0005030019.tif 000009
【図９】
0005030019.tif 000010
【図１０】
0005030019.tif 000011
【図１１】
0005030019.tif 000012
【図１２】
0005030019.tif 000013
【図１３】
0005030019.tif 000014
【図１４】
0005030019.tif 000015